(57)【特許請求の範囲】
【請求項１】
プール等の水槽内の水を、常時濾過器を通して循環させる常時循環路と、オーバーフローした水を一旦環水槽に導入した後に前記常時循環路に合流させるオーバーフロー循環路とを設け、プール等の水槽の大量のオーバーフロー時に、環水槽の容量を超えたオーバーフロー量に相応する給水を環水槽に行なうようにしたことを特徴とするプール等における循環給水システムにおいて、前記環水槽の容量を超えたオーバーフロー量に相応する給水を、レベルスイッチの制御によって、前記プール等の水槽等からそのオーバーフロー水が前記環水槽に流れ込まなくなったときに行うようにしたことを特徴とするプール等における循環給水システム。
【請求項２】
前記レベルスイッチは前記環水槽に設置されていることを特徴とする請求項１に記載のプール等における循環給水システム。
【発明の詳細な説明】
【０００１】
【発明の属する技術分野】
本発明はプール等や大型浴槽のように、一度に多人数が出入りする機会の多い水槽等において、節水効果の高い循環給水システムに関するものである。
【０００２】
【従来の技術】
従来、プール内の水の循環方法として最も多く利用されているのが、底面中央部に排水口を兼ねた環水口を設け、プール全周の壁面の給水口から適当な間隔で給水する方法である。この方法の場合は、オーバーフローした水は捨てられてしまうので、節水のために、これを捨てずに濾過して循環使用することも行われている。その方法としては、底面の環水口よりの常時循環による更新とオーバーフロー溝よりのオーバーフロー水を環水槽に貯留して循環更新をする。
【０００３】
しかし、従来の給水システムはプールまたは浴槽の水位を保つための制御であったため、プールまたは浴槽の水位が下がると新水が補充されその前にオーバーフローした水を環水槽に貯留していた水が少し遅れてプールに循環給水して、水位が上昇新水の補給が断たれると引き続き環水槽に貯留していた水がプールに循環給水するためオーバーフロー溝より環水槽に流入する循環給水を繰り返して行う事になるので環水槽に貯留している水量はプールへの一度に多人数が出入りする状態に依って一定しないので環水槽の容量を超えたオーバーフローが起き易く結果的には多くの排水が行われていた。
【０００４】
補充新水は、一般的に主環水系統より行われているのでプールまたは浴槽の水位が下がると新水が補充され、その前にオーバーフローした水を環水槽に貯留していた水が少し遅れてプールに循環給水するため、環水槽よりのオーバーフローがない場合でも新水が補充されてプールより環水槽に蓄えられ副環水系統によりプールに還流される。この様な状態が繰り替えされた場合、環水槽は少しのプールの水位の変化でもオーバーフローする状態になり無駄な排水が行われる。また、従来方式の場合は、環水口からの主環水系統と、オーバーフロー溝からの副環水系統の２つの系統が別々に設けられ、それぞれに循環濾過装置が設置されていた。
【０００５】
【発明が解決しようとする課題】
上述したように、環水槽の容量を充分に活用したオーバーフロー対策になっていないので、排水が多く、従って補充新水が多く運用経費が掛かっていた。
【０００６】
本発明はこのような従来技術における問題点に鑑みてなされたもので、しかも無駄な排水が少ないプール等における循環給水システムを提供することを課題とするものである。
【０００７】
【課題を解決するための手段】
この発明は、プール等の水槽内の水を、常時濾過器を通して循環させる常時循環路と、オーバーフローした水を一旦環水槽に導入した後に前記常時循環路に合流させるオーバーフロー循環路とを設け、プール等の水槽の大量のオーバーフロー時に、環水槽の容量を超えたオーバーフロー量に相応する給水を環水槽に行なうようにしたことを特徴とするプール等における循環給水システムにおいて、前記環水槽の容量を超えたオーバーフロー量に相応する給水を、レベルスイッチの制御によって、前記プール等の水槽等からそのオーバーフロー水が前記環水槽に流れ込まなくなったときに行うようにしたものであり、給水の水位制御ポイントを見直して節水効果の高いシステムをもって上記課題を解決したものである。
この場合、前記レベルスイッチは前記環水槽に設置することができる。
【０００８】
【発明の実施形態】
本発明の実施の形態を添付図面に依拠して説明する。図１は本発明に係る循環給水システムのフローシート図で、プールについてのものである。１はプールで、これに、常時循環路２とオーバーフロー循環路３が配備される。常時循環路２の環水口４は、プール１の底部に１又は複数設け、循環更新されない部分を極力少なくする。常時循環路２は、集毛器５及び主循環ポンプ６を経て濾過器７に接続され、そこから熱交換機８、塩素注入装置９を経てプール１に戻される。プール１への給水口１０は、プール側面に適宜間隔置きに設置される。
【０００９】
一方、オーバーフロー循環路３は、プール１の上面周囲のオーバーフロー溝１１から環水槽１２へと伸び、そこから副循環ポンプ１３並びに自動ボール弁１４を経て常時循環路２に合流する。１５は、環水槽１２に新水を給水をするための新水補給路、１６は新水補給を制御する制御弁、１７はレベルスイッチである。１８は、環水槽１２からのオーバーフロー水を排出するための排出路、１９は各構成部の制御を司る制御盤である。
【００１０】
上記構成において、プール１内の水は常時、主循環ポンプ６の作用で環水口４から常時循環路２に流出し、濾過器７において濾過された後、熱交換機８、塩素注入装置９を経て給水口１０からプール１内に戻される。この流れは、プール１内の水のオーバーフロー状況に関係なく行われる。
【００１１】
プール１内の水がオーバーフローすると、オーバーフロー水はオーバーフロー溝１１からオーバーフロー循環路３へ流れ、環水槽１２に流入して、一時的に貯留される。そして、そこから副循環ポンプ１３の作用で汲出された水は、常時循環路２を循環してくる水に合流し、主循環ポンプ６の作用で濾過器７内に導入され、熱交換機８、塩素注入装置９を経て常時循環水としてプール１に戻される。
【００１２】
水中エアロビ等で、一度に多くの人がプールに入ったりして、オーバーフローが過剰になって、環水槽１２の貯水能力を超えると、過剰の水はそこでオーバーフローして排水路１８に流れ、排水される。この排水の結果、次ぎに、入水者が一斉にプール１から上がった場合、常時循環路２からプール１に環水されるがプール１からのオーバーフロー水がない場合、環水槽１２内の貯水量はやがて所定水量を下回ることになるが、その際に、レベルスイッチ１７の制御により新水補給路１５から制御弁１６の作動により、環水槽１２内に供給される。
【００１３】
プール１の水位が上昇してオーバーフロー水がオーバーフロー溝１１からオーバーフロー循環路３へ流れ、環水槽１２に流入し始め環水槽１２の水位が上昇する時点で新水補給路１５よりの環水槽１２への新水の給水を停止する。上述したプール１内の水の流れから明らかなように、この場合、排水量に見合う量の新水が補充されることになる、換言すれば、本システム全体に存在する水の絶対量は何ら変わりがなく、その絶対量が環水槽１２におけるオーバーフローによって減少した場合のみ供給がなされるので、無駄な排水は最小限に抑えられることになる。
【００１４】
【発明の効果】
本発明は上述した通りであって、オーバーフロー水の排出量が少ないために節水効果があり、また、濾過装置を常時循環路とオーバーフロー循環路に別個に設ける必要がないので、設置コスト及び維持コストを抑えることができ設置スペースも比較的少なくて済むといった効果がある。
【図面の簡単な説明】
【図１】本発明に係るシステムの概略構成図である。
【符号の説明】
１  …  プール
２  …  常時循環路
３  …  オーバーフロー循環路
４  …  環水口
５  …  集毛器
６  …  主循環ポンプ
７  …  濾過器
８  …  熱交換機
９  …  塩素注入装置
１０  …  給水口
１１  …  オーバーフロー溝
１２  …  環水槽
１３  …  副循環ポンプ
１４  …  自動ボール弁
１５  …  新水補給路
１６  …  制御弁
１７  …  レベルスイッチ
１８  …  排出路
１９  …  制御盤
【図１】
0004395822.tif 000002